(57)【要約】【課題】太陽電池パネルの受光面の汚れによる発電量の低下を抑制することが可能な太陽電池パネル防護システムを提供する。【解決手段】太陽電池パネル防護システム１は、カバー２１と時刻情報取得部３１１と設定部３６と移動制御部３７とを備えている。カバー２１は、太陽電池パネルの受光面側を移動可能である。時刻情報取得部３１１は、現在時刻の情報を取得する。設定部３６は、時刻情報取得部３１１が取得した現在時刻に基づいて、カバー２１の目的位置を設定する。移動制御部３７は、カバー２１の位置が目的位置となるように、カバー２１の移動を制御する。そして、設定部３６は、太陽電池パネルが発電不可能な時間帯（不発電時間帯）に現在時刻が含まれる場合、目的位置を、カバー２１が太陽電池パネルを覆う閉位置に設定する。【選択図】図１
2017135958.tif 000002
【特許請求の範囲】
【請求項１】
太陽電池パネルの受光面側を移動可能であるカバーと、
現在時刻の情報を取得する時刻情報取得部と、
前記時刻情報取得部が取得した前記現在時刻に基づいて、前記カバーの目的位置を設定する設定部と、
前記カバーの位置が前記目的位置となるように、前記カバーの移動を制御する移動制御部とを備え、
前記設定部は、前記太陽電池パネルが発電不可能な時間帯に前記現在時刻が含まれる場合、前記目的位置を、前記カバーが前記太陽電池パネルを覆う閉位置に設定する
ことを特徴する太陽電池パネル防護システム。
【請求項２】
気象情報を取得する気象情報取得部と、
前記気象情報取得部が取得した前記気象情報に基づいて、降雨、降雪、降雹、降灰のうち少なくとも１つが発生すると予測される時間帯を予防時間帯として推定する推定部とを更に備え、
前記設定部は、前記推定部が推定した前記予防時間帯に前記現在時刻が含まれる場合、前記目的位置を前記閉位置に設定する
ことを特徴とする請求項１記載の太陽電池パネル防護システム。
【請求項３】
シート状の前記カバーの巻き取り及び繰り出しが可能な巻取軸と、
前記巻取軸を回転させる駆動部とを更に備え、
前記巻取軸は、複数の前記太陽電池パネルに対して、前記複数の太陽電池パネルが並べられた方向のうち一方向の一方側に設けられ、
前記カバーは、一端部が前記巻取軸に固定され、他端部が前記巻取軸の回転方向に応じて前記一方向に移動する
ことを特徴とする請求項１又は２に記載の太陽電池パネル防護システム。
【請求項４】
前記複数の太陽電池パネルに対して、前記カバーの移動方向に対する交差方向の一方側と他方側とに設けられた一対のガイドレールを更に備え、
前記一対のガイドレールは、前記複数の太陽電池パネルと前記カバーとの間に隙間が形成されるように前記カバーを支持した状態で前記カバーの移動を案内する
ことを特徴とする請求項３に記載の太陽電池パネル防護システム。
【請求項５】
前記カバーは、ポリエステルフィルムである
ことを特徴とする請求項１〜４のいずれか１項に記載の太陽電池パネル防護システム。
【請求項６】
前記カバーは、透光性を有する
ことを特徴とする請求項１〜５のいずれか１項に記載の太陽電池パネル防護システム。
【請求項７】
前記太陽電池パネルが発電不可能な時間帯は、日の入り時刻から日の出時刻までの時間帯である
ことを特徴とする請求項１〜６のいずれか１項に記載の太陽電池パネル防護システム。
【発明の詳細な説明】
【技術分野】
【０００１】
本発明は、太陽電池パネル防護システムに関する。
【背景技術】
【０００２】
従来、屋根に設置される太陽電池パネルを備える太陽光発電装置がある（例えば、特許文献１参照）。太陽電池パネルは、太陽光の受光量に応じた電力を生成する。
【先行技術文献】
【特許文献】
【０００３】
【特許文献１】特開２０１５−２２７５５８号公報
【発明の概要】
【発明が解決しようとする課題】
【０００４】
太陽電池パネルは屋外に設けられているため、太陽電池パネルの受光面は塵埃等で汚れやすい。太陽電池パネルの受光面の汚れによって太陽光が遮られ、太陽電池パネルの発電量が低下するおそれがあった。
【０００５】
本発明は、上記事由に鑑みてなされており、その目的は、太陽電池パネルの受光面の汚れによる発電量の低下を抑制することが可能な太陽電池パネル防護システムを提供することにある。
【課題を解決するための手段】
【０００６】
本発明の太陽電池パネル防護システムは、太陽電池パネルの受光面側を移動可能であるカバーと、現在時刻の情報を取得する時刻情報取得部と、前記時刻情報取得部が取得した前記現在時刻に基づいて、前記カバーの目的位置を設定する設定部と、前記カバーの位置が前記目的位置となるように、前記カバーの移動を制御する移動制御部とを備え、前記設定部は、前記太陽電池パネルが発電不可能な時間帯に前記現在時刻が含まれる場合、前記目的位置を、前記カバーが前記太陽電池パネルを覆う閉位置に設定することを特徴とする。
【発明の効果】
【０００７】
本発明の太陽電池パネル防護システムでは、太陽電池パネルの受光面の汚れによる発電量の低下を抑制することができるという効果がある。
【図面の簡単な説明】
【０００８】
【図１】図１は、本発明の一実施形態に係る太陽電池パネル防護システムのブロック図である。
【図２】図２は、同上の太陽電池パネル防護システムにおける防護装置の概略構成図である。
【図３】図３は、図２のＡ−Ａ線断面図である。
【図４】図４は、本発明の一実施形態に係る太陽電池パネル防護システムの動作を示すフローチャート図である。
【発明を実施するための形態】
【０００９】
以下、本発明の実施の形態を図面に基づいて説明する。以下の実施形態は、一般に太陽電池パネル防護システム、より詳細には太陽電池パネルの受光面を防護する太陽電池パネル防護システムに関する。なお、以下の実施形態において説明する図２、図３は、模式的な図であり、各構成要素の寸法比が必ずしも実際の寸法比を反映しているとは限らない。
【００１０】
（実施形態）
本実施形態の太陽電池パネル防護システム１（以降、防護システム１と略称する）のブロック図を図１に示す。まず、本実施形態の防護システム１の概要について説明する。本実施形態の防護システム１は、図２に示すように例えば戸建住宅５の屋根５１等に並べて設置されている複数の太陽電池パネル４を防護するシステムである。防護システム１は、太陽電池パネル４が発電しない時間帯、雨等により太陽電池パネル４の受光面４１が汚れると予測される時間帯に、太陽電池パネル４の受光面４１側をカバー２１で覆うことにより太陽電池パネル４を防護するシステムである。
【００１１】
以下に、本実施形態の防護システム１の詳細について説明する。
【００１２】
本実施形態では、図２に示すように、戸建住宅５の屋根５１に複数の太陽電池パネル４がマトリクス状に並べて設置されている。図２に示す例では、屋根５１の勾配方向に沿った第１方向Ｙ１に３枚、第１方向Ｙ１と交差する第２方向Ｙ２に４枚ずつ合計１２枚の太陽電池パネル４が屋根５１に設置されている。なお、第２方向Ｙ２は、第１方向Ｙ１に直交する方向であるのが好ましい。また、太陽電池パネル４の枚数は一例であり、上記枚数に限らない。
【００１３】
本実施形態の防護システム１は、太陽電池パネル４を防護する防護装置２と、防護装置２を制御する制御装置３とを備えている（図１参照）。
【００１４】
防護装置２は、カバー２１、巻取軸２２、駆動部２３、一対のガイドレール２４、複数の支持レール２５、及び筐体２０を備えており、屋根５１に設けられている。
【００１５】
筐体２０は、複数の太陽電池パネル４に対して第１方向Ｙ１の一方側（屋根５１の棟５１１側）に設けられており、カバー２１の一部、巻取軸２２、及び駆動部２３を収納している。
【００１６】
カバー２１は、巻取軸２２に巻取可能な程度の柔軟性を有するシート状部材である。カバー２１は、ポリエステルフィルム（例えばポリエチレンテレフタレートフィルム）で構成されている。カバー２１は、太陽電池パネル４を覆った状態であっても太陽電池パネル４が発電可能な程度の透光性を有しているのが好ましい。カバー２１の透光率は、５０％以上が好ましく、７０％以上が更に好ましく、９０％以上がより好ましい。また、カバー２１は、強度、耐候性、及び防汚性が高く、かつ薄く形成可能な材質が好ましい。
【００１７】
カバー２１は、第１方向Ｙ１の寸法、及び第２方向Ｙ２の寸法それぞれが、複数の太陽電池パネル４全体における第１方向Ｙ１、及び第２方向Ｙ２の寸法よりも大きく形成されており、複数の太陽電池パネル４全体を覆うことが可能である。
【００１８】
また、カバー２１は、複数の太陽電池パネル４それぞれの受光面４１側を移動可能に構成されている。具体的には、カバー２１は、第１方向Ｙ１の一端部が巻取軸２２に固定されている。巻取軸２２は、第２方向Ｙ２に沿って配置されており、回転方向に応じてカバー２１の巻き取り及び繰り出しが可能である。筐体２０には、カバー２１を通す開口が設けられており、カバー２１は、巻取軸２２の回転方向に応じて第１方向Ｙ１の他端部（以降、下端部２１１という）が第１方向Ｙ１に沿って移動する。カバー２１は、巻取軸２２が例えば一方に回転することによって巻取軸２２に巻き取られ、下端部２１１が第１方向Ｙ１に沿って屋根５１の棟５１１に向かって移動する。また、カバー２１は、巻取軸２２が例えば他方に回転することによって巻取軸２２から繰り出され、自重により下端部２１１が第１方向Ｙ１に沿って屋根５１の軒５１２に向かって移動する。カバー２１は、複数の太陽電池パネル４全てを露出させる開位置と、複数の太陽電池パネル４全てを覆う閉位置との間で移動する。図２は、カバー２１が閉位置にある状態を示している。
【００１９】
なお、本実施形態のカバー２１は、第１方向Ｙ１の寸法が複数の太陽電池パネル４全体の寸法よりも、十分に大きい寸法（例えば、第１方向Ｙ１における複数の太陽電池パネル４全体の寸法の２倍以上）に形成されている。カバー２１は、閉位置にある状態であっても一部が巻取軸２２に巻き取られている。そして、カバー２１は、閉位置から更に繰り出され、下端部２１１が屋根５１の軒５１２よりも下側まで移動可能に構成されている。
【００２０】
一対のガイドレール２４のそれぞれは、複数の太陽電池パネル４に対する第２方向Ｙ２の一方側、他方側において、第１方向Ｙ１に沿って設けられており、カバー２１を第１方向Ｙ１に案内する。一対のガイドレール２４それぞれは、第１方向Ｙ１に沿って形成された溝２４１を有している。カバー２１は、第２方向Ｙ２の一端部、他端部それぞれが、一対のガイドレール２４の溝２４１に嵌まり込むことで位置決めされ、第１方向Ｙ１に沿って移動しやすくなる。また、一対のガイドレール２４それぞれは、第１方向Ｙ１に沿って並べて設けられた複数のローラ２４２（roller）を備えている。ローラ２４２は、第２方向Ｙ２を軸方向として回転可能な円柱であり、太陽電池パネル４の受光面４１とカバー２１との間に隙間が形成されるようにカバー２１を屋根５１側から支持可能に構成されている。カバー２１は、ローラ２４２の回転によってローラ２４２上を滑るように移動することが可能となり第１方向Ｙ１の移動がスムーズとなる。
【００２１】
また、第２方向Ｙ２における太陽電池パネル４と太陽電池パネル４との間には、支持レール２５が設けられている。支持レール２５は、第１方向Ｙ１に沿って設けられており、複数の太陽電池パネル４とカバー２１との間に隙間が形成されるようにカバー２１を屋根５１側から支持可能に構成されている。なお、支持レール２５は、第１方向Ｙ１に沿って並べて設けられた複数のローラ２４２を備えた構成であってもよい。
【００２２】
駆動部２３は、モータを有しており、巻取軸２２を回転可能に構成されている。駆動部２３は、後述する移動制御部３７によって制御されており、移動制御部３７からの制御信号に基づいて巻取軸２２を回転させる。
【００２３】
次に、制御装置３について説明する。制御装置３は、例えばマイコン（マイクロコンピュータ）、ＰＬＣ（Programmable Logic Controller）等を主構成としており、プログラムを実行することにより各種処理を実行する。制御装置３は、受信機３１、通信部３２、気象情報取得部３３、推定部３４、記憶部３５、設定部３６、及び移動制御部３７を備えている。
【００２４】
受信機３１は、ＧＰＳ（Global Positioning System）受信機であり、現在時刻の情報を取得する時刻情報取得部３１１と、位置情報を取得する位置情報取得部３１２とを備えている。なお、時刻情報取得部３１１が取得する現在時刻の情報には、現在の日付情報が含まれている。
【００２５】
通信部３２は、通信インターフェースであり、電気回線６０（例えばインターネット回線）を介してサーバ６と接続されている。
【００２６】
気象情報取得部３３は、位置情報取得部３１２が取得した位置情報に対応する地域の気象情報を、通信部３２を介してサーバ６から取得する。ここでいう「気象情報」とは、降雨予報、降雪予報、降雹予報等を含む天気予報、降灰予報等の、太陽電池パネル４の受光面４１を汚す可能性のある気象現象に関する情報である。
【００２７】
推定部３４は、気象情報取得部３３が取得した気象情報に基づいて予防時間帯を推定する。予防時間帯とは、降雨、降雪、降雹、降灰のうち少なくとも１つが発生すると予測される時間帯である。
【００２８】
記憶部３５には、日付情報と位置情報とに対応付けられた日の出時刻及び日の入り時刻の情報が記憶されている。なお、記憶部３５に記憶された日の出時刻及び日の入り時刻の情報は、太陽電池パネル４の設置された地域の地形（例えば山、谷等）に応じて補正されてもよい。
【００２９】
設定部３６は、時刻情報取得部３１１が取得した現在時刻に基づいて、カバー２１の目的位置を設定する。設定部３６は、太陽電池パネル４が発電不可能な時間帯（以降、不発電時間帯という）に現在時刻が含まれている場合、カバー２１の目的位置を閉位置に設定する。不発電時間帯とは、日の入り時刻から日の出時刻までの時間帯である。設定部３６は、時刻情報取得部３１１が取得した現在の日付情報と、位置情報取得部３１２が取得した位置情報とに対応する日の出時刻、及び日の入り時刻の情報を記憶部３５から抽出し、不発電時間帯を算出する。そして、設定部３６は、現在時刻が不発電時間帯に含まれているか否かを判断し、現在時刻が不発電時間帯に含まれている場合、カバー２１の目的位置を、カバー２１が複数の太陽電池パネル４全てを覆う閉位置に設定する。なお、設定部３６は、日の出時刻、及び日の入り時刻の情報を、サーバ６から取得するように構成されていてもよい。
【００３０】
また、設定部３６は、現在時刻が、推定部３４が推定した予防時間帯に含まれているか否かを判断し、現在時刻が予防時間帯に含まれている場合、カバー２１の目的位置を閉位置に設定する。
【００３１】
設定部３６は、現在時刻が、不発電時間帯と予防時間帯との両方に含まれていない場合、カバー２１の目的位置を、複数の太陽電池パネル４全てを露出させる開位置に設定する。
【００３２】
移動制御部３７は、カバー２１の位置が、設定部３６が設定した目的位置となるように、カバー２１の移動を制御する。具体的には、移動制御部３７は、防護装置２の駆動部２３に対して、巻取軸２２の回転方向を指示する制御信号を送信することで、カバー２１の位置が開位置あるいは閉位置となるようにカバー２１を移動させる。なお、カバー２１の位置がすでに目的位置である場合、移動制御部３７は、カバー２１を移動させず、カバー２１の位置が目的位置に維持される。
【００３３】
次に、本実施形態の防護システム１による太陽電池パネル４の防護動作について、図４に示すフローチャートを用いて説明する。
【００３４】
まず、気象情報取得部３３が、サーバ６から気象情報を取得する（Ｓ１）。推定部３４は、気象情報取得部３３が取得した気象情報に基づいて、予防時間帯を推定する（Ｓ２）。また、受信機３１の時刻情報取得部３１１が、現在時刻の情報を取得し、位置情報取得部３１２が、位置情報を取得する（Ｓ３）。そして、設定部３６は、現在の日付、及び位置情報に対応する日の出時刻、及び日の入り時刻を記憶部３５から抽出し、不発電時間帯を算出する（Ｓ４）。なお、気象情報の取得動作（Ｓ１）と、現在時刻及び位置情報の取得動作（Ｓ３）とは、それぞれ独立して実行される。
【００３５】
次に、設定部３６は、現在時刻が不発電時間帯に含まれているか否かを判断する（Ｓ５）。現在時刻が不発電時間帯に含まれている場合（Ｓ５のＹｅｓ）、設定部３６は、カバー２１の目的位置を閉位置に設定し、カバー２１が、複数の太陽電池パネル４の全てを覆う閉位置に移動する、あるいは閉位置を維持する（Ｓ６）。
【００３６】
また、現在時刻が不発電時間帯に含まれていない場合（Ｓ５のＮｏ）、設定部３６は、現在時刻が予防時間帯に含まれているか否かを判断する（Ｓ７）。現在時刻が予防時間帯に含まれている場合（Ｓ７のＹｅｓ）、設定部３６は、カバー２１の目標位置を閉位置に設定し、カバー２１が、複数の太陽電池パネル４の全てを覆う閉位置に移動する、あるいは閉位置を維持する（Ｓ６）。
【００３７】
一方、現在時刻が予防時間帯に含まれていない場合（Ｓ７のＮｏ）、設定部３６は、カバー２１の目標位置を開位置に設定し、カバー２１が、複数の太陽電池パネル４の全てを露出させる開位置に移動する、あるいは開位置を維持する（Ｓ８）。
【００３８】
本実施形態の防護システム１は、上述した太陽電池パネル４の防護動作を定期的（例えば５分毎）に行っており、現在時刻に応じてカバー２１の位置を制御している。
【００３９】
次に、本実施形態の防護システム１の効果について説明する。
【００４０】
本実施形態の防護システム１は、カバー２１と時刻情報取得部３１１と設定部３６と移動制御部３７とを備えている。カバー２１は、太陽電池パネル４の受光面４１側を移動可能である。時刻情報取得部３１１は、現在時刻の情報を取得する。設定部３６は、時刻情報取得部３１１が取得した現在時刻に基づいて、カバー２１の目的位置を設定する。移動制御部３７は、カバー２１の位置が目的位置となるように、カバー２１の移動を制御する。そして、設定部３６は、太陽電池パネル４が発電不可能な時間帯（不発電時間帯）に現在時刻が含まれる場合、目的位置を、カバー２１が太陽電池パネル４を覆う閉位置に設定する。
【００４１】
上記構成により、太陽電池パネル４が発電不可能な時間帯（不発電時間帯）には、太陽電池パネル４の受光面４１がカバー２１で覆われるため、太陽電池パネル４の受光面４１の汚れが抑制される。したがって、本実施形態の防護システム１は、太陽電池パネル４の受光面４１の汚れによる発電量の低下を抑制することが可能となる。また、太陽電池パネル４の受光面４１の清掃の手間を減らすことが可能となる。
【００４２】
また、本実施形態の防護システム１において、太陽電池パネル４が発電不可能な時間帯（不発電時間帯）は、日の入り時刻から日の出時刻までの時間帯である。これにより、太陽が沈んだ暗い時間帯である不発電時間帯が、日付、太陽電池パネルが設けられた位置に応じて調整される。
【００４３】
また、本実施形態における防護システム１は、気象情報取得部３３と、推定部３４とを更に備えている。気象情報取得部３３は、気象情報を取得する。推定部３４は、気象情報取得部３３が取得した気象情報に基づいて、降雨、降雪、降雹、降灰のうち少なくとも１つが発生すると予測される時間帯を予防時間帯として推定する。そして、設定部３６は、推定部３４が推定した予防時間帯に現在時刻が含まれる場合、目的位置を閉位置に設定する。
【００４４】
上記構成により、太陽電池パネル４の受光面４１が汚れやすい気象現象である降雨、降雪、降雹、降灰等が発生すると予測される予防時間帯に、太陽電池パネル４の受光面４１がカバー２１で覆われるため、太陽電池パネル４の受光面４１の汚れがより抑制される。したがって、本実施形態の防護システム１は、太陽電池パネル４の受光面４１の汚れによる発電量の低下をより抑制することが可能となる。
【００４５】
例えば、雨が降ると予測される時間帯には、太陽電池パネル４がカバー２１で覆われることにより、雨が降っても太陽電池パネル４の受光面４１が雨で汚れることが抑制される。
【００４６】
また、雹が降ると予測される時間帯には、太陽電池パネル４がカバー２１で覆われることにより、雹が降っても太陽電池パネル４に雹が直接当たることが抑制され、太陽電池パネル４の受光面４１のひび割れ等が抑制される。
【００４７】
また、雪や灰が降ると予測される時間帯には、太陽電池パネル４がカバー２１で覆われるため、雪や灰が降っても太陽電池パネル４の受光面４１に雪や灰が堆積することが抑制される。また、カバー２１の下端部２１１を屋根５１の軒５１２の下側まで移動させてカバー２１を屋根５１から垂れ下げることにより、カバー２１に堆積された雪や灰を落とすことができる。また、カバー２１を屋根５１から垂れ下げることにより、例えばカバー２１の汚れを水で洗い流す等のメンテナンス作業を容易に行うことが可能となる。
【００４８】
また、カバー２１は、切断可能に構成されており、カバー２１の汚れが落ちない場合や、カバー２１に破れ等の破損が生じた場合には、ユーザによってカバー２１の下端部２１１側が切り離される。これにより、カバー２１における、今まで筐体２０内で巻取軸２２に巻き取られていた部位で太陽電池パネル４を覆うことが可能となり、カバー２１を交換する手間を減らすことが可能となる。
【００４９】
なお、気象情報には、黄砂予測、風予測等が含まれていてもよい。これにより、黄砂が多いと予測される時間帯には、太陽電池パネル４がカバー２１で覆われることにより、多くの黄砂が飛来しても太陽電池パネル４の受光面４１が黄砂で汚れることが抑制される。また、強風が予測される時間帯には、太陽電池パネル４がカバー２１で覆われることにより、強風のときに飛来物が太陽電池パネル４に直接当たることが抑制され、太陽電池パネル４の受光面４１のひび割れ等が抑制される。
【００５０】
また、本実施形態における防護システム１は、巻取軸２２と駆動部２３とを備えている。巻取軸２２は、シート状のカバー２１の巻き取り及び繰り出しが可能である。駆動部２３は、巻取軸２２を回転させる。そして、巻取軸２２は、複数の太陽電池パネル４に対して、複数の太陽電池パネル４が並べられた方向のうち一方向（第１方向Ｙ１）の一方側（屋根５１の棟５１１側）に設けられている。カバー２１は、一端部が巻取軸２２に固定され、他端部（下端部２１１）が巻取軸２２の回転方向に応じて一方向（第１方向Ｙ１）に移動する。
【００５１】
上記構成により、カバー２１が、太陽電池パネル４を露出させる開位置にある場合、カバー２１は、巻取軸２２に巻き取られているので、平面視におけるカバー２１の面積が増大することが抑制される。
【００５２】
また、本実施形態の防護システム１は、一対のガイドレール２４を備えている。一対のガイドレール２４は、複数の太陽電池パネル４に対して、カバー２１の移動方向に対する交差方向（第２方向Ｙ２）の一方側と他方側とに設けられている。また、一対のガイドレール２４は、複数の太陽電池パネル４とカバー２１との間に隙間が形成されるようにカバー２１を支持した状態でカバー２１の移動を案内する。
【００５３】
上記構成により、一対のガイドレール２４によって移動時におけるカバー２１が位置決めされ、カバー２１の移動方向が第１方向Ｙ１から外れることが抑制される。また、太陽電池パネル４とカバー２１との隙間により、カバー２１が太陽電池パネル４に接触することが抑制され、カバー２１を移動させやすくなる。また、太陽電池パネル４とカバー２１との隙間により、雹や飛来物に対する防護性を向上させることが可能となる。
【００５４】
また、本実施形態の防護システム１において、カバー２１は、ポリエステルフィルムである。上記構成により、カバー２１を、強度、耐候性、及び防汚性が高く、かつ薄く形成することが可能となる。
【００５５】
また、本実施形態の防護システム１において、カバー２１は、透光性を有する。上記構成により、例えば降雨、降雪、降雹、降灰等の予測が外れて晴れている場合に、太陽電池パネル４は、カバー２１を介して太陽光を受光して発電することが可能となる。
【００５６】
なお、カバー２１は、例えば金属製のシャッター、樹脂製の板等のように強固に構成されていてもよい。この場合、比較的大きな飛来物からも太陽電池パネル４を防護することが可能となり、台風や竜巻が多い地域でより有効となる。
【００５７】
また、本実施形態の防護システム１は、ＧＰＳを利用して現在時刻の情報と位置情報とを取得しているが、この構成に限らない。例えば、防護システム１は、位置情報の入力を受け付ける入力部と、現在時刻を計時する計時部（例えば時計）とを備えた構成であってもよい。この場合、位置情報取得部３１２は、入力部が受け付けた位置情報を取得し、時刻情報取得部３１１は、計時部から現在時刻の情報を取得する。
【００５８】
また、防護システム１は、照度センサを備えた構成であってもよい。照度センサは、太陽電池パネル４の設置場所（屋根５１）において太陽電池パネル４と重ならないように設けられ、太陽電池パネル４の設置場所（屋根５１）の照度を測定する。設定部３６は、照度センサの測定結果が閾値照度以下である場合、現在時刻が、太陽電池パネル４が発電不可能な時間帯（不発電時間帯）に含まれていると判断し、カバー２１の目的位置を閉位置に設定する。閾値照度は、太陽電池パネル４の発電電力が閾値電力以下となる照度である。上記構成により、例えば、天候が曇りであり太陽電池パネル４が発電できない場合に、太陽電池パネル４をカバー２１で覆い、太陽電池パネル４を防護することが可能となる。
【００５９】
また、カバー２１は、屋根５１の勾配に沿った第１方向Ｙ１に移動可能に構成されているが、屋根５１の勾配方向と交差した第２方向Ｙ２に移動可能に構成されていてもよい。
【００６０】
また、本実施形態の防護システム１は、防護装置２と制御装置３とが別体に構成されているが、防護装置２と制御装置３とが一体に構成されていてもよい。
【００６１】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６２】
１  太陽電池パネル防護システム
２１  カバー
２２  巻取軸
２３  駆動部
２４  ガイドレール
３１１  時刻情報取得部
３３  気象情報取得部
３４  推定部
３６  設定部
３７  移動制御部
４  太陽電池パネル
４１  受光面
Ｙ１  第１方向（一方向）
Ｙ２  第２方向（交差方向）
【図１】
2017135958.tif 000003
【図２】
2017135958.tif 000004
【図３】
2017135958.tif 000005
【図４】
2017135958.tif 000006